(57)【要約】  エレベータ配車装置におけるワイヤレス目的階入力方法（２００）であって、ワイヤレストランスミッタ／レシーバ（Ｔ／Ｒ）を備えたエレベータ配車装置が、ワイヤレス機器から、Ｔ／Ｒのネットワークに接続するためのリクエストを受信し（２０２）、Ｔ／Ｒからワイヤレス機器にウェブページをプッシュ配信し（２０３）、ワイヤレス機器からのサービスリクエストを、ウェブページを介してＴ／Ｒにより受信し（２０５）、Ｔ／Ｒから群管理制御装置にサービスリクエストを通信し（２０６）、サービスリクエストに応答するように群管理制御装置によりエレベータかごを配車する（２０７）ことを含む。また、コンピュータによる実行時に、エレベータ配車装置におけるワイヤレス目的階の入力方法（２００）を実行するコンピュータコードを実装するコンピュータ可読記憶媒体を備えたコンピュータプログラムプロダクト、およびワイヤレストランスミッタ／レシーバを備えたエレベータ配車装置（１００）が提供される。
2013516372.tif 000002
【特許請求の範囲】
【請求項１】
エレベータ配車装置におけるワイヤレス目的階入力方法（２００）であって、前記エレベータ配車装置が、ワイヤレストランスミッタ／レシーバ（Ｔ／Ｒ）を備え、
ワイヤレス機器から、前記ワイヤレストランスミッタ／レシーバのネットワークに接続するためのリクエストを受信するステップ（２０２）と、
前記トランスミッタ／レシーバから前記ワイヤレス機器にウェブページをプッシュ配信するステップ（２０３）と、
前記ワイヤレス機器からのサービスリクエストを、前記ウェブページを介して前記トランスミッタ／レシーバにより受信するステップ（２０５）と、
前記トランスミッタ／レシーバから群管理制御装置に前記サービスリクエストを通信するステップ（２０６）と、
前記サービスリクエストに応答するように前記群管理制御装置によりエレベータかごを配車するステップ（２０７）と、
を備えたエレベータ配車装置におけるワイヤレス目的階入力方法（２００）。
【請求項２】
前記ワイヤレス機器が、携帯電話、携帯端末、またはラップトップコンピュータのうちの一つを備えることを特徴とする請求項１に記載のエレベータ配車装置におけるワイヤレス目的階入力方法（２００）。
【請求項３】
前記エレベータ配車装置が、前記群管理制御装置と通信する複数のトランスミッタ／レシーバを備え、前記複数のトランスミッタ／レシーバの各々が、無線信号を送受信するように構成されることを特徴とする請求項１に記載のエレベータ配車装置におけるワイヤレス目的階入力方法（２００）。
【請求項４】
前記複数のトランスミッタ／レシーバのうちの一つからの前記無線信号を該複数のトランスミッタ／レシーバのうちの別のトランスミッタ／レシーバでは受信しないように、前記複数のトランスミッタ／レシーバが構成されることを特徴とする請求項４に記載のエレベータ配車装置におけるワイヤレス目的階入力方法（２００）。
【請求項５】
前記ウェブページは、ユーザによる前記サービスリクエストを入力するためのデータ入力フィールドを備えることを特徴とする請求項１に記載のエレベータ配車装置におけるワイヤレス目的階入力方法（２００）。
【請求項６】
前記サービスリクエストが、目的階を備えることを特徴とする請求項１に記載のエレベータ配車装置におけるワイヤレス目的階入力方法（２００）。
【請求項７】
ワイヤレストランスミッタ／レシーバ（Ｔ／Ｒ）（１０２Ｂ）を備えたエレベータ配車装置（１００）であって、前記ワイヤレストランスミッタ／レシーバ（１０２Ｂ）が、前記エレベータ配車装置（１００）の群管理制御装置（１０５）と通信しており、該ワイヤレストランスミッタ／レシーバが、
ワイヤレス機器（１０１）から、前記ワイヤレストランスミッタ／レシーバ（１０２Ｂ）のネットワークに接続するためのリクエストを受信し、
前記トランスミッタ／レシーバ（１０２Ｂ）から前記ワイヤレス機器（１０１）にウェブページをプッシュ配信し、
前記ワイヤレス機器（１０１）からのサービスリクエストを、前記ウェブページを介して前記トランスミッタ／レシーバ（１０２Ｂ）により受信し、
前記トランスミッタ／レシーバ（１０２Ｂ）から前記群管理制御装置（１０５）に前記サービスリクエストを通信するように構成され、
前記群管理制御装置（１０５）が、前記サービスリクエストに応答するようにエレベータかごを配車するように構成された、エレベータ配車装置（１００）。
【請求項８】
前記ワイヤレス機器（１０１）が、携帯電話、携帯端末、またはラップトップコンピュータのうちの一つを備えることを特徴とする請求項７に記載のエレベータ配車装置（１００）。
【請求項９】
前記エレベータ配車装置が、前記群管理制御装置（１０５）と通信する複数のトランスミッタ／レシーバ（１０２Ａ〜Ｃ）を備え、前記複数のトランスミッタ／レシーバ（１０２Ａ〜Ｃ）の各々が、無線信号を送受信するように構成されることを特徴とする請求項７に記載のエレベータ配車装置（１００）。
【請求項１０】
前記複数のトランスミッタ／レシーバ（１０２Ａ〜Ｃ）のうちの一つからの前記無線信号を該複数のトランスミッタ／レシーバのうちの別のトランスミッタ／レシーバでは受信しないように、前記複数のトランスミッタ／レシーバ（１０２Ａ〜Ｃ）が構成されることを特徴とする請求項９に記載のエレベータ配車装置（１００）。
【請求項１１】
前記ウェブページが、ユーザによる前記サービスリクエストを入力するためのデータ入力フィールドを備えることを特徴とする請求項７に記載のエレベータ配車装置（１００）。
【請求項１２】
前記サービスリクエストが、目的階を備えることを特徴とする請求項７に記載のエレベータ配車装置（１００）。
【請求項１３】
コンピュータによる実行時に、エレベータ配車装置におけるワイヤレス目的階の入力方法（２００）を実行するコンピュータコードを実装するコンピュータ可読記憶媒体を備えたコンピュータプログラムプロダクトであって、前記エレベータ配車装置が、ワイヤレストランスミッタ／レシーバ（Ｔ／Ｒ）を備え、前記入力方法が、
ワイヤレス機器から、前記ワイヤレストランスミッタ／レシーバのネットワークに接続するためのリクエストを受信するステップ（２０２）と、
前記トランスミッタ／レシーバから前記ワイヤレス機器にウェブページをプッシュ配信するステップ（２０３）と、
前記ワイヤレス機器からのサービスリクエストを、前記ウェブページを介して前記トランスミッタ／レシーバにより受信するステップ（２０５）と、
前記トランスミッタ／レシーバから群管理制御装置に前記サービスリクエストを通信するステップ（２０６）と、
前記サービスリクエストに応答するように前記群管理制御装置によりエレベータかごを配車するステップ（２０７）と、
を備えた、コンピュータプログラムプロダクト。
【請求項１４】
前記ワイヤレス機器が、携帯電話、携帯端末、またはラップトップコンピュータのうちの一つを備えることを特徴とする請求項１３に記載のコンピュータプログラムプロダクト。
【請求項１５】
前記エレベータ配車装置が、前記群管理制御装置と通信する複数のトランスミッタ／レシーバを備え、前記複数のトランスミッタ／レシーバの各々が、無線信号を送受信するように構成されることを特徴とする請求項１３に記載のコンピュータプログラムプロダクト。
【請求項１６】
前記複数のトランスミッタ／レシーバのうちの一つからの前記無線信号を該複数のトランスミッタ／レシーバのうちの別のトランスミッタ／レシーバでは受信しないように、前記複数のトランスミッタ／レシーバが構成されることを特徴とする請求項１５に記載のコンピュータプログラムプロダクト。
【請求項１７】
前記ウェブページが、ユーザによる前記サービスリクエストを入力するためのデータ入力フィールドを備えることを特徴とする請求項１３に記載のコンピュータプログラムプロダクト。
【請求項１８】
前記サービスリクエストが、目的階を備えることを特徴とする請求項１３に記載のコンピュータプログラムプロダクト。
【発明の詳細な説明】
【技術分野】
【０００１】
本発明は、概してエレベータ配車装置の分野に関する。
【背景技術】
【０００２】
エレベータ配車装置は、各階に配置された、乗客がサービスの要求に用いる一つ以上の目的階入力装置を備える。目的階入力装置は、乗客が目的階方向を入力できるようにするための上および下呼びボタンを備え、または目的階を入力できるようにするためのキーパッドを備える。
【発明の概要】
【発明が解決しようとする課題】
【０００３】
こうした目的階入力装置は静的であり、多数の乗客が特定階に集中した場合、乗客が時宜に即してエレベータサービスのリクエストを入力するのは困難である。
【課題を解決するための手段】
【０００４】
本発明のエレベータ配車装置におけるワイヤレス目的階入力の方法の一態様では、ワイヤレストランスミッタ／レシーバ（Ｔ／Ｒ）を備えたエレベータ配車装置が、ワイヤレス機器からＴ／Ｒのネットワークに接続するためのリクエストを受信し、Ｔ／Ｒからワイヤレス機器にウェブページをプッシュ配信し、ワイヤレス機器からのサービスリクエストを、ウェブページを介してＴ／Ｒにより受信し、Ｔ／Ｒから群管理制御装置にサービスリクエストを通信し、サービスリクエストに応答するように群管理制御装置によりエレベータかごを配車することを含む。
【０００５】
本発明の別の態様では、エレベータ配車装置がワイヤレストランスミッタ／レシーバ（Ｔ／Ｒ）を含むとともに、Ｔ／Ｒがエレベータ配車装置の群管理制御装置と通信しており、Ｔ／Ｒは、ワイヤレス機器からＴ／Ｒのネットワークに接続するためのリクエストを受信し、Ｔ／Ｒからワイヤレス機器にウェブページをプッシュ配信し、ワイヤレス機器からのサービスリクエストを、ウェブページを介してＴ／Ｒにより受信し、Ｔ／Ｒから群管理制御装置にサービスリクエストを通信するように構成され、群管理制御装置は、サービスリクエストに応答するようにエレベータかごを配車するように構成される。
【０００６】
さらに本発明の別の態様では、コンピュータプログラムプロダクトが、コンピュータによる実行時に、エレベータ配車装置におけるワイヤレス目的階入力の方法を実行するコンピュータコードを実装するコンピュータ可読記憶媒体を備え、ワイヤレストランスミッタ／レシーバ（Ｔ／Ｒ）を備えたエレベータ配車装置が、ワイヤレス機器からＴ／Ｒのネットワークに接続するためのリクエストを受信し、Ｔ／Ｒからワイヤレス機器にウェブページをプッシュ配信し、ワイヤレス機器からのサービスリクエストを、ウェブページを介してＴ／Ｒにより受信し、Ｔ／Ｒから群管理制御装置にサービスリクエストを通信し、サービスリクエストに応答するように群管理制御装置によりエレベータかごを配車することを含む。
【０００７】
本発明のその他の態様、特徴、および技術が図面とともに以下の記載からより明らかとなるであろう。
【図面の簡単な説明】
【０００８】
【図１】ワイヤレス目的階入力を備えたエレベータ配車装置の実施例を示す図。
【図２】エレベータ配車装置におけるワイヤレス目的階入力の方法の実施例を示す図。
【図３】エレベータ配車装置におけるワイヤレス目的階入力装置およびその入力方法に関連して用いられるウェブページの実施例を示す図。
【図４】エレベータ配車装置におけるワイヤレス目的階入力装置およびその入力方法に関連して用いられるコンピュータの実施例を示す図。
【発明を実施するための形態】
【０００９】
エレベータ配車装置のワイヤレス目的階入力装置およびその方法の実施例を提供し、その実施例を以下に詳述する。エレベータシステムの群管理制御装置と通信するワイヤレストランスミッタ／レシーバ（Ｔ／Ｒ）がエレベータ装置の各階に設置される。乗客はサービスリクエストを入力するようにＴ／Ｒと通信するワイヤレス機器上のウェブブラウザを使用する。ウェブブラウザを用いることにより、あらゆるインターネットベースのワイヤレス機器を用いて目的階を入力することが可能となる。ワイヤレス機器がエレベータ配車装置と通信できるようにするためにワイヤレス機器に特殊なソフトウェアを導入する必要はない。
【００１０】
図１はワイヤレス目的階入力を備えたエレベータ配車装置１００の実施例を示す。エレベータ配車装置１００は複数のＴ／Ｒ１０２Ａ〜Ｃを備え、その各々が各階１０４Ａ〜Ｃに配置される。Ｔ／Ｒ１０２Ａ〜Ｃの各々は、一部の実施例では異なる階に配置される。他の実施例では、単一のフロアに複数のＴ／Ｒを備えてもよい。Ｔ／Ｒ１０２Ａ〜Ｃは例示の目的として示しているに過ぎない。エレベータ配車装置は任意の適切な数および構成のＴ／Ｒ装置を備える。Ｔ／Ｒ１０２Ａ〜Ｃの各々は、無線信号１０３などの、無線信号を送受信する。無線信号はこれに限定しないが、Ｒ／Ｆ、Ｂｌｕｅｔｏｏｔｈ、８０２．１１ｗｉｆｉ、または赤外線を含む、任意の適切な無線プロトコルを備える。Ｔ／Ｒは、一つのＴ／Ｒからの無線信号が別の階のＴ／Ｒに受信されないような帯域を有するように構成される。Ｔ／Ｒ１０２Ａ〜Ｃの各々は、エレベータ配車装置１００のエレベータかごを制御する群管理制御装置１０５と通信する。
【００１１】
ワイヤレス機器１０１は無線信号１０３を介してＴ／Ｒ１０２Ｂと通信する。ワイヤレス機器１０１はウェブページを表示するウェブブラウザを備える。ワイヤレス機器１０１はこれに限定しないが、携帯電話、携帯端末（ＰＤＡ）、またはラップトップコンピュータを含む、ウェブブラウザを有する任意の適切なワイヤレス機器を備える。
【００１２】
図２はエレベータ配車装置におけるワイヤレス目的階入力の方法２００を示す。図２は図１を参照しながら論じられる。ブロック２０１では、ワイヤレス機器１０１がＴ／Ｒ１０２Ｂの帯域に入り、無線信号１０３を受信する。ブロック２０２では、ワイヤレス機器１０１がＴ／Ｒ１０２Ｂのネットワークに接続する。一部の実施例では、ワイヤレス機器１０１は、Ｔ／Ｒ１０２Ｂのネットワークに接続するためにＴ／Ｒ１０２Ｂにパスワードを送信する必要がある。一部の実施例では、Ｔ／Ｒ１０２Ａ〜Ｃは、認証装置識別子（ＩＤ）のリストへのアクセスを有する。こうした実施例では、装置ＩＤのリスト上にあるワイヤレス機器のみがＴ／Ｒ  Ａ〜Ｃのいずれかのネットワークに接続する許可を得られる。ブロック２０３では、Ｔ／Ｒ１０２Ｂがウェブページを備えたファイルをワイヤレス機器１０１に無線信号１０３を介してプッシュ配信する。ブロック２０４では、ウェブページがワイヤレス機器１０１のウェブブラウザ上に表示され、乗客がワイヤレス機器１０１のウェブブラウザに表示されたウェブページを使用して目的階を備えたサービスリクエストを入力する。一部の実施例では、ワイヤレス機器１０１はサービスリクエストを入力するためにＴ／Ｒ１０２Ｂにパスワードを送信することが要求される。一部の実施例では、Ｔ／Ｒ１０２Ａ〜Ｃは、認証装置識別子（ＩＤ）のリストへのアクセスを有する。こうした実施例では、装置ＩＤのリスト上にあるワイヤレス機器のみがＴ／Ｒ１０２Ａ〜Ｃのいずれかへのサービスリクエストをサブミットすることが許可される。ブロック２０５では、サービスリクエストが無線信号１０３を介してＴ／Ｒ１０２Ｂに受信される。ブロック２０６では、Ｔ／Ｒ１０２Ｂから、Ｔ／Ｒ１０２Ａ〜Ｃの各々と通信するエレベータ装置１００の群管理制御装置１０５へとサービスリクエストが送られる。ブロック２０７では、群管理制御装置１０５がそのリクエストに対してサービスを行うようにエレベータかごを配車する。
【００１３】
図３は、Ｔ／Ｒ１０２Ａ〜Ｃのいずれかによって受信され、ワイヤレス機器１０１のウェブブラウザ３００に表示されたウェブページ３０１の実施例を示す。ウェブブラウザ３００は、これに限定しないがＩｎｔｅｒｎｅｔ  Ｅｘｐｌｏｒｅｒ（登録商標）、Ｓａｆａｒｉ（登録商標）、Ｆｉｒｅｆｏｘ（登録商標）、Ｃｈｒｏｍｅ（登録商標）、またはＯｐｅｒａ（登録商標）を含む、ウェブページを表示することが可能な任意の適切なウェブブラウザを備えうる。ウェブページ３０１は、これに限定しないが．ｊｓｐ，．ａｓｐ，．ｐｈｐ，．ｈｔｍ，．ｈｔｍｌまたは．ｘｍｌを含む、ウェブブラウザ３００によって表示される任意の適切なファイル形式を備えうる。ウェブページ３０１は、プロンプト３０２と、データ入力フィールド３０３と、データ入力フィールド３０３に入力した目的階をＴ／Ｒ１０２Ｂに送信するためにクリックするボタン３０４と、を備える。ウェブページ３０１は、例示を目的として示しているに過ぎない。ウェブページ３０１は、乗客からＴ／Ｒ１０２Ａ〜Ｃのいずれかへとサービスリクエストを通信することが可能なウェブブラウザ３００によって表示することができる任意のウェブページを備える。
【００１４】
図４は、ソフトウェアに具現化されたエレベータ配車システムにおけるワイヤレス目的階入力システムおよびその方法の実施例によって利用される一例のコンピュータ４００を示す。上述した種々の動作がコンピュータ４００の機能を利用しうる。コンピュータ４００の一つ以上の機能が任意の要素、モジュール、アプリケーション、および／または、ここで述べたワイヤレス機器１０１およびＴ／Ｒ１０２Ａ〜Ｃを含むコンポーネントに組み込まれうる。
【００１５】
コンピュータ４００は、これに限定しないが、ＰＣ、ワークステーション、ラップトップコンピュータ、ＰＤＡ、手のひらサイズの装置、サーバ、ストレージ等を含む。通常、ハードウェアアーキテクチャの観点から、コンピュータ４００は一つ以上のプロセッサ４１０、メモリ４２０、およびローカルインターフェース（図示せず）を介して通信接続された一つ以上の入力および／または出力装置（Ｉ／Ｏ）４７０を含みうる。ローカルインターフェースは、これに限定しないが例えば周知の一つ以上のバスまたはその他の有線または無線接続でもよい。ローカルインターフェースは、コントローラ、バッファ（キャッシュメモリ）、ドライバ、リピータ、およびレシーバなどの、通信を可能にする追加の要素を有する。さらに、ローカルインターフェースは、アドレス、コントロール、および／または前述のコンポーネント間の適切な通信を可能にするデータ接続を含みうる。
【００１６】
プロセッサ４１０はメモリ４２０内に保存されるソフトウェアを実行するハードウェアデバイスである。プロセッサ４１０は実質的に任意の特別注文のまたは市販のプロセッサ、中央演算処理装置（ＣＰＵ）、デジタル・シグナル・プロセッサ（ＤＳＰ）、またはコンピュータ４００に関連した複数のプロセッサの間の補助プロセッサでもよく、プロセッサ４１０は（マイクロチップの形態の）セミコンダクタベースのマイクロプロセッサ、またはマクロプロセッサでもよい。
【００１７】
メモリ４２０は、揮発性記憶素子（例えば、ダイナミック・ランダム・アクセス・メモリ（ＤＲＡＭ）、スタティック・ランダム・アクセス・メモリ（ＳＲＡＭ）等のランダム・アクセス・メモリ（ＲＡＭ））、および不揮発性記憶素子（例えば、ＲＯＭ、消去可能プログラマブル読出し専用メモリ（ＥＰＲＯＭ）、電気消去可能プログラマブル読出し専用メモリ（ＥＥＰＲＯＭ）、プログラマブル読出し専用メモリ（ＰＲＯＭ）、テープ、コンパクトディスク読出し専用メモリ（ＣＤ−ＲＯＭ）、ディスク、ディスケット、カートリッジ、カセットなど）のうちのいずれか一つまたはそれらの組合せを含みうる。さらに、メモリ４２０は電子記憶媒体、磁気記憶媒体、光学的記憶媒体、および／またはその他の種類の記憶媒体を組み込みうる。ここで留意すべきは、メモリ４２０は、種々のコンポーネントが互いに離れた位置に配置されるが、プロセッサ４１０によってアクセス可能な分散型アーキテクチャを有してもよい。
【００１８】
メモリ４２０内のソフトウェアは一つ以上の単独のプログラムを含み、その各々が論理関数を実行するための実行可能命令の順序付きリストを備える。メモリ４２０内のソフトウェアは適切なオペレーティング・システム（Ｏ／Ｓ）４５０、コンパイラ４４０、ソースコード４３０、および実施例に従う一つ以上のアプリケーション４６０を含む。図示のように、アプリケーション４６０は実施例の特徴部およびオペレーションを実施する多数の機能要素を備える。コンピュータ４００のアプリケーション４６０は実施例に従う種々のアプリケーション、計算ユニット、論理、機能ユニット、プロセス、オペレーション、バーチャル・エンティティ、および／またはモジュールを示すが、アプリケーション４６０は限定を意味するものではない。
【００１９】
オペレーティング・システム４５０はその他のコンピュータプログラムの実行を制御し、スケジューリング、入出力制御、ファイルおよびデータの管理、メモリ管理、通信制御、およびそれに関連するサービスを提供する。発明者により意図されることは、実施例を実行するアプリケーション４６０は全ての市販のオペレーティング・システムに適用可能であることである。
【００２０】
アプリケーション４６０は、ソースプログラム、実行可能プログラム（オブジェクトコード）、スクリプト、または実行される一連の命令を備えた任意のその他のエンティティでもよい。ソースプログラムの場合、次いでプログラムが通常、コンパイラ（コンパイラ４４０など）、アセンブラ、インタープリタなどを介して変換されるが、これはオペレーティング・システム４５０に関連して適切に機能するように、メモリ４２０内に含まれても含まれなくてもよい。さらに、アプリケーション４６０は、データの種類および方法を有するオブジェクト指向プログラミング言語、または、ルーチン、サブルーチン、および／またはファンクションを有する手続きプログラミング言語として書かれ、これに限定しないが例えば、Ｃ、Ｃ＋＋、Ｃ＃、Ｐａｓｋａｌ、ＢＡＳＩＣ、ＡＰＩ  ｃａｌｌｓ、ＨＴＭＬ、ＸＨＴＭＬ、ＸＭＬ、ＡＳＰ  ｓｃｒｉｐｔｓ、ＦＯＲＴＲＡＮ、ＣＯＢＯＬ、Ｐｅｒｌ、Ｊａｖａ、ＡＤＡ、．ＮＥＴなどである。
【００２１】
入出力装置４７０は、これに限定しないが例えば、マウス、キーボード、スキャナ、マイク、カメラなどの入力装置を含みうる。さらに、入出力装置４７０はまた、これに限定しないが例えば、プリンタ、ディスプレイなどの出力装置を含みうる。最後に、入出力装置４７０は、これに限定しないが例えば、（遠隔装置、その他のファイル、デバイス、システムまたはネットワークにアクセスするための）ＮＩＣまたは変調復調器、無線周波（ＲＦ）またはその他の送受信機、電話によるインターフェース、ブリッジ、ルータなどの、入出力の両方を通信する装置をさらに含みうる。入出力装置４７０はまたインターネットまたはイントラネットなどの種々のネットワークを通して通信を行うコンポーネントを含む。
【００２２】
コンピュータ４００がＰＣ、ワークステーション、インテリジェント装置などである場合、メモリ４２０中のソフトウェアは基本入出力システム（ＢＩＯＳ）をさらに含みうる（簡単にするために省略する）。ＢＩＯＳは起動時にハードウェアを初期化、テストし、オペレーティング・システム４５０を起動し、ハードウェアデバイス間のデータの転送をサポートする一連の必須ソフトウェアルーチンである。コンピュータ４００の作動時にＢＩＯＳが実行されるように、ＢＩＯＳは、ＲＯＭ、ＰＲＯＭ、ＥＰＲＯＭ、ＥＥＰＲＯＭなどの一種の読出し専用記憶装置に保存される。
【００２３】
コンピュータ４００の作動中、プロセッサ４１０はメモリ４２０内に保存されたソフトウェアを実行し、メモリ４２０とデータ通信し、多くの場合ソフトウェアに従ってコンピュータ４００の動作を制御するように構成される。アプリケーション４６０およびオペレーティング・システム４５０は、全体または一部において、プロセッサ４１０に読み取られ、あるいはプロセッサ４１０内でバッファに入れられ、次いで実行される。
【００２４】
アプリケーション４６０がソフトウェアにより実行される場合、留意すべきは、アプリケーション４６０は実質的に、任意のコンピュータに関連する装置またはその方法によって用いられるまたはそれらに関連した、任意のコンピュータ可読媒体に保存される。この明細書の関連において、コンピュータ可読媒体は、コンピュータに関連する装置またはその方法によって用いられるまたはそれらに関連したコンピュータプログラムを含むまたはこれを保存することのできる、電子装置、磁気装置、光学装置、またはその他の物理的装置またはそれらの手段でもよい。
【００２５】
アプリケーション４６０は、コンピュータベースのシステム、プロセッサを含むシステム、または、命令実行システム、命令実行装置、または命令実行デバイスから命令を取り出すその他のシステムなどの、命令実行システム、命令実行装置、または命令実行デバイスによって用いられるまたはそれらに関連した任意のコンピュータ可読媒体に具現化され、命令を実行する。この明細書の関連において、「コンピュータ可読媒体」は、命令実行システム、命令実行装置、または命令実行デバイスによって用いられるまたはそれらに関連したプログラムを保存し、通信し、伝搬し、または移植させることのできる任意の手段である。コンピュータ可読媒体は、例えばこれに限定しないが、電子的、磁気的、光学的、電磁気的、赤外線、または半導体のシステム、装置、デバイス、または伝搬媒体である。
【００２６】
コンピュータ可読媒体のより詳細な例（完全ではないリスト）は以下のものを含みうる：一つ以上のワイヤを有する電気的接続（電子的）、ポータブル・コンピュータ・ディスケット（磁気的もしくは光学的）、ランダム・アクセス・メモリ（ＲＡＭ）（電子的）、読出し専用記憶装置（ＲＯＭ）（電子的）、消去可能プログラマブル読出し専用記憶装置（ＥＰＲＯＭ、ＥＥＰＲＯＭ、またはフラッシュメモリ）（電子的）、光ファイバ（光学的）、およびポータブル・コンパクト・ディスク・メモリ（ＣＤ−ＲＯＭ、ＣＤ  Ｒ／Ｗ）（光学的）。留意すべきは、コンピュータ可読媒体は、プログラムがプリントもしくは穿孔された紙の媒体またはその他の適切な媒体であってもよく、それはプログラムが例えば紙またはその他の媒体の光学走査により電子的に取り込まれ、次いでコンパイルされ、解釈され、あるいはそれ以外では必要に応じて適切な方法によって処理されて、コンピュータメモリに保存されるからである。
【００２７】
アプリケーション４６０がハードウェアにより実行される実施例では、アプリケーション４６０は以下の周知の技術のうちの一つまたはそれらの組合せ：データ信号上のスイッチング関数を実行する論理ゲートを有する個別論理回路、適切な組合せ論理ゲートを有する特定用途向け集積回路（ＡＳＩＣ）、プログラマブル・ゲート・アレイ（ＰＧＡ）、フィールド・プログラマブル・ゲート・アレイ（ＦＰＧＡ）等、で実行される。
【００２８】
実施例の技術的効果および利点は、ワイヤレス機器に特殊なソフトウェアを導入することなく、乗客がワイヤレス機器を介してエレベータ配車装置のサービスリクエストを入力できるようにすることを含む。
【００２９】
ここで用いられる用語は特定の実施例のみを記述する目的で用いるものであり、本発明を限定することを意図するものではない。例証および説明のために本発明を詳述したが、これは本発明を網羅するもしくは開示された形に限定することを意図するものではない。ここでは記載されていない多くの修正、変形、変更、置換、もしくは同等の配置が、本発明の範囲および精神を逸脱することなく当業者にとって明らかとなるであろう。さらに、本発明の種々の実施例について説明したが、本発明の態様は、記載の実施例の一部のみを含みうることを理解されたい。したがって、本発明は、上記の記載によって限定されるものとして見るのではなく、付記の特許請求の範囲によってのみ限定されるものである。
【図１】
2013516372.tif 000003
【図２】
2013516372.tif 000004
【図３】
2013516372.tif 000005
【図４】
2013516372.tif 000006
【手続補正書】
【提出日】平成24年8月30日(2012.8.30)
【手続補正１】
【補正対象書類名】特許請求の範囲
【補正対象項目名】請求項４
【補正方法】変更
【補正の内容】
【請求項４】
前記複数のトランスミッタ／レシーバのうちの一つからの前記無線信号を該複数のトランスミッタ／レシーバのうちの別のトランスミッタ／レシーバでは受信しないように、前記複数のトランスミッタ／レシーバが構成されることを特徴とする請求項３に記載のエレベータ配車装置におけるワイヤレス目的階入力方法（２００）。
【国際調査報告】
2013516372.tif 000007
2013516372.tif 000008